(57)【要約】【課題】畦を高く形成するとともに土盛りの上面や法面をきれいに仕上げ且つその作業をスピーディに行えるようにした畦成形機を提供する。【解決手段】  原動機Ｅで走行する左右一対の走行輪Ｈ１，Ｈ２と上記原動機により回転して耕土を畦成形部２０に掻き上げる耕耘刃Ｒ１，Ｒ２とを装着した畦成形機１００において、上記耕耘刃の後方に上記原動機により揺動運動して畦成形部２０に盛られた土２０Ａの上面２０Ｃを締め固める上面叩き手段３０と、この後方の畦成形部法面２０Ｄ側に配置され機体の進行方向と直交する方向の回転軸５０に装着されて上記原動機により回転駆動され複数枚の押圧片をその先端側が畦成形部法面側に突出するようにした法面成形体４０Ａと、上記法面成形体の畦形成部上面側に配置され回転軸に装着されて上記原動機により回転駆動され複数枚の押圧片をその先端側が畦形成部上面側に突出するようにした上面成形体４０Ｃと、を備えたものである。【選択図】図１
2006304614.tif 000002
【特許請求の範囲】
【請求項１】
原動機を装着した機体に上記原動機により走行する左右一対の走行輪と上記原動機により回転して耕土を畦成形部に掻き上げる耕耘刃とを装着した畦成形機において、上記耕耘刃の後方に設けられ上記原動機により揺動運動して畦成形部に盛られた土の上面を締め固める上面叩き手段と、上記上面叩き手段の後方の畦成形部法面側に配置され機体の進行方向と直交する方向に設けられた回転軸に装着されて上記原動機により回転駆動され複数枚の押圧片をその先端側が畦成形部法面側に突出するようにして羽根車状に形成されてなる法面成形体と、上記法面成形体の畦形成部上面側に配置され回転軸に装着されて上記原動機により回転駆動され複数枚の押圧片をその先端側が畦形成部上面側に突出するようにして羽根車状に形成されてなる上面成形体と、を具備したことを特徴とする畦成形機。
【請求項２】
上記上面成形体は、回転軸に２〜４枚の押圧片を取り付けたものであることを特徴とする請求項１記載の畦成形機。
【請求項３】
上記上面成形体は、回転軸に６〜８角形の角筒体を装着し、これに６〜８枚の押圧片を取り付けたものであることを特徴とする請求項１記載の畦成形機。
【請求項４】
上記上面成形体は、回転軸に畦の上面と法面との境に配置されるラッパ状体を取り付けたものであることを特徴とする請求項１記載の畦成形機。
【発明の詳細な説明】
【技術分野】
【０００１】
本発明は、例えば、水田や畑の畦を成形するための畦成形機に係り、特に、高くしっかりした畦をスピードアップして効率良く形成できるようにしたものに関する。
【背景技術】
【０００２】
畦成形機としては、例えば、次のようなものがある。牽引車に付設されて該牽引車の進行方向に順次畦を形成する畦成形機においては、畦成形部に土を盛り上げ状態に連続的に供給する土盛装置と、畦形成部に盛られた土を締め固めて畦を形成する畦形成装置とを具え、該畦形成装置は、畦と直交する軸線回りに回転せしめられ且つその上側周面が牽引車の進行方向に回転するようにその回転方向が設定されて畦上面を形成する丸軸からなる回転体を具え、畦上面の内縁を形成する回転体内端には、内方に向かって大径となる円錐面を具えた畦内側形成用の内側回転板が連設され、該内側回転板と回転体とは一体に回転するものとされており、また、単位時間当たりの牽引車の進行長さをＬ１、回転体の円周をＬ２、単位時間当たりの回転体の回転数をＮとしたとき、Ｎ×Ｌ２＞Ｌ１の関係が充足されるようになされているものである。
【０００３】
更に、畦上面の外縁を形成する回転体外端には、外方に向かって大径となる円錐面を具えた畦外側面形成用の外側回転板を連設し、回転体と内側回転体と外側回転体は一体に回転するものである（例えば、特許文献１参照。）。
【０００４】
【特許文献１】特許第２５６４２３０号公報
【発明の開示】
【発明が解決しようとする課題】
【０００５】
上記従来の構成によると次のような問題があった。すなわち、従来の畦形成装置においては、畦上面を平坦に押さえ込む回転体は、小径な丸軸からなるために、その回転速度に対して牽引車の進行速度を遅くしないと、土が回転体の上側へ逃げて土押さえがしっかり出来ず、畦上面の締りと平坦度が悪くなる。このことは、畦の形成作業に余分な時間を要することとなり、作業効率を悪くしている。また、上記回転体は小径な丸軸であるから、凹凸の大きな畦上面を平坦に押さえ込めることに限界がある。そこで、図１６に示すように、畦上面２０Ｃの大きな凹凸に対応できる限界を広げようとすると、必然的に小径な回転体５２Ｂを大径としなければならず、これは必然的に回転体５２Ｂと一体に回転し円錐面５２Ａを持つ内側回転板５２の有効寸法が減少することを意味するから、畦２０の高さＨ０が低く制限されるという新たな問題を生んでしまっている。要するに、上記従来の畦形成装置では、高い畦を形成しようとすれば作業速度が遅くなり、凹凸の大きな土盛り上面を確実に平坦面に仕上げるには、回転体の外径が大きくなって畦の高さが低くなってしまうという問題があった。
【０００６】
本発明は上記問題点に基づいてなされたものでその目的とするところは、畦を高く形成するとともに土盛りの上面や法面をきれいに仕上げ且つその作業をスピーディに行えるようにした畦成形機を提供するものである。
【課題を解決するための手段】
【０００７】
上記目的を達成するべく本願発明の請求項１による畦成形機は、原動機を装着した機体に上記原動機により走行する左右一対の走行輪と上記原動機により回転して耕土を畦成形部に掻き上げる耕耘刃とを装着した畦成形機において、上記耕耘刃の後方に設けられ上記原動機により揺動運動して畦成形部に盛られた土の上面を締め固める上面叩き手段と、上記上面叩き手段の後方の畦成形部法面側に配置され機体の進行方向と直交する方向に設けられた回転軸に装着されて上記原動機により回転駆動され複数枚の押圧片をその先端側が畦成形部法面側に突出するようにして羽根車状に形成されてなる法面成形体と、上記法面成形体の畦形成部上面側に配置され回転軸に装着されて上記原動機により回転駆動され複数枚の押圧片をその先端側が畦形成部上面側に突出するようにして羽根車状に形成されてなる上面成形体と、を具備したことを特徴とするものである。
【０００８】
また、請求項２の畦成形機は、請求項１記載の畦成形機において、上記上面成形体は、回転軸に２〜４枚の押圧片を取り付けたものであることを特徴とするものである。
【０００９】
また、請求項３の畦成形機は、請求項１記載の畦成形機において、上記上面成形体は、回転軸に６〜８角形の角筒体を装着し、これに６〜８枚の押圧片を取り付けたものであることを特徴とするものである。
【００１０】
また、請求項４の畦成形機は、請求項１記載の畦成形機において、上記上面成形体は、回転軸に畦の上面と法面との境に配置されるラッパ状体を取り付けたものであることを特徴とするものである。
【００１１】
すなわち、本発明による畦成形機には、畦の上面を平坦に形成する上面叩き手段と、畦の法面を平坦に形成する羽根車状に形成されてなる法面成形体とを別個に独立設置して作動させるから、畦を高く且つ上面を平坦に仕上げ形成されるとともに、凹凸の大きな土盛りでも上面や法面を確実に平坦面に仕上げ形成され、その形状も綺麗に形良く仕上げられる。また、畦の形成作業は、牽引車の通常の進行速度で良いからスピーディに効率良く行える。
【００１２】
そして、上記羽根車状に形成されてなる法面成形体と羽根車状に形成されてなる上面成形体は、複数枚の押圧片を、その回転方向の後側が法面側や上面側に突出させているから、畦の法面への法面成形体の断続的な押圧力及び畦の上面への上面成形体の断続的な押圧力が１回転の間に複数回も発生することとなり、確実に締め固められる。これにより、容易には崩れない畦が形成される。
【００１３】
更に、上記法面成形体とともに、回転軸に畦の上面と法面との境に配置されるラッパ状体を取り付けたから、畦の上面と法面との境が円弧状に仕上げられて、雨水が上面に溜まらず畦の上面から境の円弧状面を通って法面へと円滑に流し込まれる。これにより、雨水によって崩れない畦を形成することができる。
【発明の効果】
【００１４】
本発明の畦成形機によると、畦の上面を平坦に形成する上面叩き手段と、畦の法面を平坦に形成する羽根車状に形成されてなる法面成形体とを別個に独立設置して作動させるから、畦を高く形成でき、且つ上面を平坦に形成できる。また、凹凸の大きな畦の土盛りでもその上面を確実に平坦面に仕上げられ、上面・法面が形良く仕上げることができる。また、畦の形成作業もスピーディに効率良くできる。
【００１５】
また、上記法面成形体と上面成形体は、複数枚の押圧片を、その回転方向の後側が法面側や上面側に突出させているから、畦の法面や上面への断続的な押圧力が１回転の間に複数回も発生して確実に締め固めでき、容易には崩れない畦が形成できる。
【００１６】
更に、上記法面成形体とともに、回転軸に畦の上面と法面との境に配置されるラッパ状体を取り付けたから、畦の上面と法面との境が円弧状に仕上げることができ、雨水で崩れない畦を形成することができる。
【発明を実施するための最良の形態】
【００１７】
以下、図１乃至図１２を参照して本発明の第１の実施の形態を説明する。図１は本実施の形態による畦成形機の斜視図、図２は畦成形機の平面図、図３は畦成形機の要部を示す側面図、図４と図５は要部の正断面図、図６は畦成形回転手段の側面図と部分図、図７は動力伝達系の説明図、図８乃至図１２は畦成形状態を示す作用図である。
【００１８】
本発明の畦成形機１００は、ハンドトラクター（耕耘機）１を牽引車１Ａとしたものである。勿論、乗用トラクターを牽引車としても良い。牽引車１Ａの機体Ｆには進行方向Ａの前上部に原動機Ｅを備え、前下部に牽引車１Ａの前輪（ダブル車輪）Ｒ０と、畦成形部２０の近くを掘り起すとともに法面２０Ｄと上面２０Ｃに土２０Ａを掻き上げる左右一対の耕耘刃Ｒ１と、古い畦２０の法面２０Ｄを削り取る耕耘刃Ｒ２とを備えている。上記前輪（ダブル車輪）Ｒ０と左右一対の耕耘刃Ｒ１とにより、左右バランス良く耕耘できて牽引車１Ａが直進できる構成となっている。また、牽引車１Ａの前輪（ダブル車輪）Ｒ０と後部左右の走行輪Ｈ１，Ｈ２により、左右一対の耕耘刃Ｒ１による耕耘深さを一定に保持することができ、ひいては、畦の高さも一定に保持することができる。
【００１９】
上記牽引車１Ａにおける耕耘刃Ｒ１，Ｒ２の後部には、畦成形部２０の上面２０Ｃに盛られた土２０Ａを締め固める上面叩き手段３０を備えている。この上面叩き手段３０は、機体Ｆに片持ち支持された支持軸３１に枢支された略矩形の樹脂製の叩き板３０Ａを備えている。上記叩き板３０Ａには、回転する駆動軸３３の円板３３Ａに偏芯ピンＰで枢支された連結棒Ｌ１が連結板Ｌ２を介して連結されている。上記駆動軸３３は、原動機Ｅに駆動系（図７で後記する）ＤＯに繋がれている。これで、叩き板３０Ａは所定の回転数で上下に揺動運動される。上面叩き手段３０の後方には、左右２本の大径の走行輪Ｈ１，Ｈ２を備え、畦側となる走行輪Ｈ１には、機体の進行方向と直交する方向の回転軸５０の軸線Ｌに設けられた法面成形体４０Ａ及びこの回転中心Ｏに畦成形部２０の上面２０Ｃを仕上げる上面成形体４０Ｂを持つ畦成形体４０が取り付けられている。これにより、法面成形体４０Ａ及び上面成形体４０Ｂは、牽引車１Ａの進行方向Ａに走行輪Ｈ１とともに回転駆動される。
【００２０】
尚、上面叩き手段３０は、図９、図１１に二点鎖線で示すように、叩き板３０Ａの内側に法面を叩く叩き板３０Ｂを備えた構成とすることもできる。この場合はボルト３０Ｃで着脱自在とする。このような構成とした場合は、畦成形部２０の上面２０Ｃと同時に法面２０Ｄを叩いて締め固めることができる。すなわち、法面成形体４０Ａは畦成形部２０の上部と下部で回転速度が異なり、上部側が遅くなって押圧度が低くなるので、予め叩き工程で上部をある程度叩いて締め固めるのが好ましいものである。
【００２１】
また、左右の走行輪Ｈ１，Ｈ２は、図５，図６に示すように、六角断面の回転軸５０に嵌着する軸受筒６０とこの外側に取り付けたホイール６１に装着されている。上記走行輪Ｈ１，Ｈ２は、軸受筒６０上のスプロケット１２に巻回されたチェーンＣ５を介して、原動機Ｅを駆動源とする駆動系（図７で後記する）ＤＯに連結されている。また、上記畦成形体４０は、走行輪Ｈ１の外側に配置されている。まず、回転軸５０に嵌着された第１筒部６３の外周部６３Ａに大径の円錐面体４０Ａが羽根車状に装着されている。すなわち、上記法面成形体４０Ａは、複数枚（６〜８枚、図示のものは８枚）の樹脂製の押圧片４０Ｃの回転軸側をボルトＢで第１筒部６３の外周部６３Ａに枢支され、各片の外周側４０Ｄ隣接面はその先端側（回転方向の後側）Ｇが法面２０Ｄ側に突出するように所定の傾斜角度で組み合せて固着されている。また、上面成形体４０Ｂが第２筒部６５の外周に配設されている。すなわち、複数枚（６〜８枚、図示のものは８枚）の樹脂製の押圧片４０Ｅを、その先端側（回転方向の後側）が上面２０Ｃ側に突出するように第２筒部６５の外周部６５Ａに羽根車状に取り付けている。
【００２２】
次に、図７を参照して上記走行輪Ｈ１，Ｈ２、上面叩き手段３０、法面成形体４０Ａ、上面成形体４０Ｂ及び、耕耘刃Ｒ１，Ｒ２等を駆動する駆動系ＤＯを説明する。先ず、エンジンＥからの走行輪Ｈ１，Ｈ２及び畦成形体４０への出力は、スプロケット２，チェーンＣ１，爪クラッチ付スプロケット３，スプロケット４，チェーンＣ２，スプロケット５，６、チェーンＣ３，スプロケット７，７Ａ、チェーンＣ４，スプロケット８により回転軸５０に伝達される。走行輪Ｈ１，Ｈ２は、爪クラッチ付スプロケット３との動力オン・オフ操作により、走行が行われる。
【００２３】
また、回転軸５０上のスプロケット９Ａ又はスプロケット９ＢからチェーンＣ４Ａ又はチェーンＣ４Ｂ，爪クラッチ付スプロケット１０Ａ又は爪クラッチ付スプロケット１０Ｂから駆動軸３５の両端のスプロケット１１，１１、チェーンＣ５，Ｃ６を介してスプロケット１２，１２に伝達される。そして、上記スプロケット１２，１２を取り付けた第１筒部５０，５０の外端に取り付けた走行輪Ｈ１，Ｈ２及び畦成形体４０に伝達される。上記スプロケット９Ａを小径とし、爪クラッチ付スプロケット１０を大径として低速用とし、また、スプロケット９Ｂを大径とし、爪クラッチ付スプロケット１０Ｂを小径として高速用とし、爪クラッチの切り換え操作により走行輪Ｈ１，Ｈ２に対して畦成形体４０を変速回転できるようにしている。
【００２４】
また、耕耘刃Ｒ１，Ｒ２への出力は、スプロケット７Ａの爪クラッチのオン・オフで動力伝達されるスプロケット１３，チェーンＣ８，スプロケット１４のロータ軸により伝達され、このロータ軸に装着した耕耘刃Ｒ１，Ｒ２を回転駆動する。このオン・オフ操作は、スプロケット７Ａの爪クラッチのオン・オフで行われる。また、上面叩き手段３０への出力は、スプロケット７Ａの爪クラッチのオン・オフで動力伝達されるスプロケット１５により伝達され、チェーンＣ７，スプロケット１６により上面叩き手段３０に連結された駆動軸３３を駆動する。このオフ操作は、スプロケット７Ａの爪クラッチのオン・オフで行われる。
【００２５】
以上の構成を基にその作用を説明する。まず、原動機Ｅを始動させ畦成形機１００を走行可能な状態とし、上叩き手段３０と畦成形体４０を駆動状態とした上で、畦２０の内側寄りを進行方向Ａに移動させる。このとき、図８に示すように、前下部の耕耘刃Ｒ１により、畦成形部２０の近くを掘り起すとともに法面２０Ｄと上面２０Ｃに土２０Ａを掻き上げる。また、耕耘刃Ｒ２により法面２０Ｄの表面を削り取る。畦成形部２０の上面２０Ｃに盛り上げた土２０Ａは、図９に示すように，耕耘刃Ｒ１、Ｒ２の後方に配置した上面叩き手段３０により締め固められる。すなわち、叩き板３０Ａが揺動運動して畦の上面を叩くことにより、上面に盛り上げられた土２０Ａを平らに突き固める。続いて、図１０に示すように、上面叩き手段３０の後方に配置した畦成形体４０における法面成形体４０Ａ及び上面成形体４０Ｂが進行方向Ａに転動して法面に盛られた土２０Ａを押し付けながら進行して行く。
【００２６】
上記法面成形体４０Ａは、図６，図１３に示すように、複数枚の押圧片４０Ｃを、その先端側（回転方向の後側）Ｇが法面２０Ｄ側に突出するように組み合せているから、畦２０の法面への法面成形体４０Ａの断続的な成形力がこの１回転の間に複数回も発生することとなり、確実に締め固められる。これにより、畦の法面２０Ｄが平滑できれいに仕上げられ、容易には崩れない畦がスピーディに形成される。また、同時に図１１に示すように、上記上面成形体４０Ｂは、外周面を複数枚の押圧片４０Ｅで羽根車状に形成し、且つ、その先端側（回転方向の後側）が上面２０Ａ側に突出するように形成されているから、上面２０Ｃへの外周面の断続的な成形力が付与される。この成形力は、上面成形体４０Ｂの１回転の間に複数回も発生することとなり、畦上面２０Ｃが平滑できれいに仕上げられ、容易には崩れない畦がスピーディに形成される。
【００２７】
すなわち、本発明の畦成形機１００は、まず、土盛りされた畦成形部２０の上面２０Ｃを平坦に形成する上面叩き手段３０を作用させ、その後、法面２０Ｄを平坦に形成する法面成形体４０Ａと畦２０の上面２０Ｃを平坦に形成する上面成形体４０Ｂとを作用させるようにしたから、上面成形体４０Ｂの外径寸法を小さくしても畦２０を高く成形できる。これは畦の上面２０Ｃが大きな土盛りで盛られて凹凸が生じている場合でも、まず上面叩き手段３０で叩いて締め固めることができ、続く上面成形体４０Ｂは上面２０Ｃを撫でつけるようにするだけでよいから、締まりが良く、平滑できれいな上面に仕上げることができる。また、上面をこのように仕上げることにより同時に行う法面２０Ｄの仕上げについても、締まりが良く、平滑できれいに仕上げることができる。更に、上記の作業形態をとることで、牽引車１Ａの通常の進行速度で作業できるから、畦２０の形成作業をスピーディに効率良く行える。
【００２８】
以上、本発明の実施の形態によると、次のような効果を奏することができる。まず、畦成形機１００には、畦成形部２０の上面２０Ｃを平坦に形成する上面叩き手段３０と、畦成形部２０の法面２０Ｄを平坦に形成する上面成形体４０Ｃとを別個に独立設置して作動させるから、畦を高く、且つ、締まりが良く、平滑できれいに仕上げることができる。また、畦の形成作業もスピーディに効率良くできる。
【００２９】
更に、上記法面成形体４０Ａに複数枚の押圧片４０Ｃを羽根車状に設けたから、畦２０の法面２０Ｄへの法面成形体の断続的な押圧力がこの１回転の間に複数回も発生して、確実に締め固めでき、容易には崩れない畦の法面が形成できる。
【００３０】
更に、上記上面成形体４０Ｂに複数枚の押圧片４０Ｅを羽根車状に設けたから、畦２０の上面２０Ｃへの外周面の断続的な成形力が上面成形体の１回転の間に複数回も発生して、確実に成形でき、容易には崩れないきれいな畦の上面が形成できる。
【００３１】
次に、図１３を参照して本発明の第２の実施の形態を説明する。この畦成形機２００は、上記法面成形体４０Ａを第１の実施の形態と同一の構成とし、上面成形体４０Ｂ´は、六角断面の回転軸５０をその回転中心Ｏで長く畦上面側に突出させ、この外周部に樹脂製の押圧片４０Ｆの片側を一つおきに３枚装着させたものである。押圧片４０Ｆの先端側（回転方向の後側）が上面２０Ｃ側に突出するように取り付けられている。その他の構成は上記第１の実施の形態の場合と同じであるので、同一部分には同一符号を付して示しその説明は省略する。勿論、押圧片４０Ｆは、２〜４枚構成としても良い。
【００３２】
上記畦成形体４０において、上面成形体４０Ｂ´は、樹脂製の押圧片４０Ｆの片側を一つおきに３枚装着させたものであるから、その外径寸法が小さく設定できる。また、樹脂製の押圧片４０Ｆの先端（自由端）が外径方向に大きく広げられ、上面２０Ｃを弾性的に押圧して綺麗に仕上げることができる。その他の作用・効果は、第１の実施の形態の場合と同じである。
【００３３】
次に、図１４を参照して本発明の第３の実施の形態を説明する。この畦成形機３００は、上記法面成形体４０Ａを第１の実施の形態と同一の構成とし、上記上面成形体４０Ｂは、回転軸となる六角断面の回転軸５０を短く切断し、この軸端面に雌螺子５０Ｃを設け、法面成形体４０Ａの先端にラッパ状体４０Ｃ´を装着しボルトＢ０により雌螺子５０Ｃに螺着させて取り付けたものである。
【００３４】
上記法面成形体４０Ａの先端にラッパ状体４０Ｃ´が設けられているから、畦成形部２０の上面２０Ｃと法面２０Ｄとの境を円弧状に仕上げることができる。これにより、雨水が上面に溜まらず畦の上面から境の円弧状面を通って法面へと円滑に流し込まれる。よって、雨水によって崩れない畦を形成することができる。
【００３５】
次に、図７，図１５を参照して本発明の第４の実施の形態を説明する。上記実施の形態は水田の畦を成形する畦成形機の例を挙げて説明したが、これに代えて畝の成形に適用することもできる。すなわち、上記第１実施の形態の装置において、回転軸５０，駆動軸３３を図中左側に延長し、畦成形体４０と上面叩き手段３０を機体の反対側（図中左側）にも設けたものである。その他の構成は上記第１の実施の形態の場合と同じであるので、同一部分には同一符号を付して示しその説明は省略する。このようなものも本願発明の技術的範囲に入るものである。
【００３６】
このような構成とすることにより、ハウス内に溝を付けて畝を作る作業に使用でき、その際、畝の上面と法面をしっかり締め固めて上部な畝を成形することができる。その他の作用・効果は、第１の実施の形態の場合と同じである。尚、本実施の形態と同様に、上記第２〜第３の実施の形態の装置において、回転軸５０，駆動軸３３を図中左側に延長し、畦成形体４０と上面叩き手段３０を機体の反対側（図中左側）にも設けることができる。この場合も、上記と同様の作用・効果を奏することができる。
【図面の簡単な説明】
【００３７】
【図１】本発明の第１の実施の形態を示し、畦成形機の斜視図である。
【図２】本発明の第１の実施の形態を示し、畦成形機の平面図である。
【図３】本発明の第１の実施の形態を示し、畦成形機の側面図である。
【図４】本発明の第１の実施の形態を示し、上面叩き手段の正断面図である。
【図５】本発明の第１の実施の形態を示し、畦成形体の正断面図である。
【図６】本発明の第１の実施の形態を示し、畦成形体の側面図である。
【図７】本発明の第１の実施の形態を示し、駆動系の動力伝達図である。
【図８】本発明の第１の実施の形態を示し、畦形成の作用断面図である。
【図９】本発明の第１の実施の形態を示し、畦形成の作用断面図である。
【図１０】本発明の第１の実施の形態を示し、畦形成の作用断面図である。
【図１１】本発明の第１の実施の形態を示し、畦形成の作用断面図である。
【図１２】本発明の第１の実施の形態を示し、畦形成の作用断面図である。
【図１３】本発明の第２の実施の形態を示し、畦成形体の斜視図である。
【図１４】本発明の第３の実施の形態を示し、畦成形体の斜視図である。
【図１５】本発明の第４の実施の形態を示し、畦成形体の正断面図である。。
【図１６】従来例の内側回転板と畦の高さを示す斜視図である。
【符号の説明】
【００３８】
１          ハンドトラクター（耕耘機）
１Ａ        牽引車
２〜１６    スプロケット
２０        畦成形部
２０Ａ      土
２０Ｃ      上面
２０Ｄ      法面
３０        上面叩き手段
３０Ａ      叩き板
３１        支持軸
３３        駆動軸
３３Ａ      円板
４０        畦成形体
４０Ａ      法面成形体
４０Ｂ      上面成形体
４０Ｂ´    上面成形体
４０Ｃ´    ラッパ状体
４０Ｃ      押圧片
４０Ｄ      外周側
４０Ｅ      押圧片
４０Ｆ      押圧片
５０        回転軸
５０Ｃ      雌螺子
６０        軸受筒
６１        ホイール
６３        第１筒部
６３Ａ      外周部
６５        第２筒部
６５Ａ      外周部
１００      畦成形機
２００      畦成形機
３００      畦成形機
Ａ          進行方向
Ｂ          ボルト
Ｂ０        ボルト
Ｂ１        ボルト
ＣＥ        チェーン
ＣＢ        コイルバネ
Ｃ          繋ぎ部
Ｃ１〜Ｃ８  チェーン
ＤＯ        駆動系
Ｅ          エンジン
Ｆ          機体
ＦＢ        固定ボルト
Ｇ          後側
Ｌ          軸線
Ｌ１        連結棒
Ｌ２        連結板
Ｈ１，Ｈ２  走行輪
Ｎ          長孔
Ｏ          回転中心
Ｐ          偏芯ピン
Ｒ０        前輪
Ｒ１        耕耘刃
Ｒ２        耕耘刃
【図１】
2006304614.tif 000003
【図２】
2006304614.tif 000004
【図３】
2006304614.tif 000005
【図４】
2006304614.tif 000006
【図５】
2006304614.tif 000007
【図６】
2006304614.tif 000008
【図７】
2006304614.tif 000009
【図８】
2006304614.tif 000010
【図９】
2006304614.tif 000011
【図１０】
2006304614.tif 000012
【図１１】
2006304614.tif 000013
【図１２】
2006304614.tif 000014
【図１３】
2006304614.tif 000015
【図１４】
2006304614.tif 000016
【図１５】
2006304614.tif 000017
【図１６】
2006304614.tif 000018
【手続補正書】
【提出日】平成17年8月8日(2005.8.8)
【手続補正１】
【補正対象書類名】図面
【補正対象項目名】全図
【補正方法】変更
【補正の内容】
【図１】
2006304614.tif 000019
【図２】
2006304614.tif 000020
【図３】
2006304614.tif 000021
【図４】
2006304614.tif 000022
【図５】
2006304614.tif 000023
【図６】
2006304614.tif 000024
【図７】
2006304614.tif 000025
【図８】
2006304614.tif 000026
【図９】
2006304614.tif 000027
【図１０】
2006304614.tif 000028
【図１１】
2006304614.tif 000029
【図１２】
2006304614.tif 000030
【図１３】
2006304614.tif 000031
【図１４】
2006304614.tif 000032
【図１５】
2006304614.tif 000033
【図１６】
2006304614.tif 000034